(57)【要約】【課題】他人に見られたくないが、そこまで重要ではない印刷物に対して、簡易的にセキュリティ保護する。【解決手段】外部装置１は、印刷を指示する画像データに対する簡易セキュリティ設定を受け付け、印刷指示に簡易セキュリティ設定を含めて画像形成装置３に送信する。画像形成装置３は、印刷指示に簡易セキュリティ設定が含まれているか否かを判断し、簡易セキュリティ設定が含まれていた場合に、印刷を指示された画像データにマーク画像３３１を付加して印刷する。印刷物８０は、マーク画像３３１が印刷された面を上向きにして排出トレイ３８に排出される。プロジェクター４は、撮像部４１により排出トレイ３８を撮像し、撮像部４１による撮像画像からマーク画像３３１を検出すると、セキュリティ画像４２１を配置した投影画像４２０を生成して、画像投影部４２により投影画像４２０を排出トレイ３８に向けて投影する。【選択図】図１
2018085556.tif 000002
【特許請求の範囲】
【請求項１】
画像データの印刷を指示する外部装置と、該外部装置により前記印刷を指示された前記画像データに基づいて印刷する印刷部を有する画像形成装置と、プロジェクターとを備えた画像形成システムであって、
前記外部装置は、
前記印刷を指示する前記画像データに対する簡易セキュリティ設定を受け付ける簡易セキュリティ設定受付部と、
前記簡易セキュリティ設定受付部により受け付けられた前記簡易セキュリティ設定を前記印刷の指示に含めて前記画像形成装置に送信する印刷指示送信部と
を備え、
前記画像形成装置は、
前記印刷指示送信部により送信された前記印刷の指示に前記簡易セキュリティ設定が含まれているか否かを判断する簡易セキュリティ判断部と、
前記簡易セキュリティ設定が含まれていた場合に、前記印刷を指示された前記画像データにマーク画像を付加するマーク付加部と、
前記マーク画像が印刷された面を上向きにして前記印刷部による印刷物が排出される排出トレイと
を備え、
前記プロジェクターは、
前記排出トレイに排出された印刷物を撮像する撮像部と、
前記撮像部による撮像画像から前記マーク画像を検出するマーク検出部と、
前記マーク検出部によって前記マーク画像が検出された場合に、特定のセキュリティ画像を配置した投影画像を生成する投影画像生成部と、
前記投影画像生成部によって生成された前記投影画像を前記排出トレイに向けて投影する画像投影部と
を備えた
ことを特徴とする画像形成システム。
【請求項２】
前記画像形成装置の前記マーク付加部は、
前記印刷を指示したユーザーに対応付けられた前記マーク画像を前記画像データに付加し、
前記プロジェクターの前記投影画像生成部は、
前記印刷を指示したユーザーの前記マーク画像に対応する前記セキュリティ画像を配置した前記投影画像を生成する
ことを特徴とする請求項１に記載の画像形成システム。
【請求項３】
前記外部装置の前記簡易セキュリティ設定受付部は、
前記印刷を指示する前記画像データに簡易セキュリティのレベルを設定し、
前記画像形成装置の前記マーク付加部は、
前記簡易セキュリティの前記レベルに対応する前記マーク画像を前記画像データに付加し、
前記プロジェクターの前記投影画像生成部は、
前記簡易セキュリティの前記レベルに対応する前記マーク画像に対応して前記セキュリティ画像を配置した前記投影画像を生成する
ことを特徴とする請求項１又は２に記載の画像形成システム。
【請求項４】
前記プロジェクターの前記投影画像生成部は、
前記マーク検出部によって前記撮像画像から検出された前記マーク画像に対応するユーザー名を前記セキュリティ画像と共に配置した前記投影画像を生成する
ことを特徴とする請求項１から３までのいずれか１項に記載の画像形成システム。
【請求項５】
前記プロジェクターの前記投影画像生成部は、
前記マーク検出部によって前記撮像画像から前記マーク画像が検出された時刻を前記セキュリティ画像と共に配置した前記投影画像を生成する
ことを特徴とする請求項１から４までのいずれか１項に記載の画像形成システム。
【請求項６】
前記セキュリティ画像は、機密事項が記載される特定色と同色の画像である
ことを特徴とする請求項１から５までのいずれか１項に記載の画像形成システム。
【請求項７】
前記セキュリティ画像は、複数の文字をランダムに配置した画像である
ことを特徴とする請求項１から５までのいずれか１項に記載の画像形成システム。
【発明の詳細な説明】
【技術分野】
【０００１】
本発明は、外部装置と画像形成装置とプロジェクターとを備えた画像形成システムに関する。
【背景技術】
【０００２】
従来、職場等では、複写機や複合機等の画像形成装置を複数人で共用することが一般的である。そのため、画像形成装置におけるセキュリティ対策が必要になっており、例えば、デジタル透かしを埋め込んで印刷することによりコピー物を検出する技術が知られている（例えば、特許文献１を参照）。また、外部装置から画像データの印刷を指示した場合、画像形成装置によって印刷された印刷物は、印刷を指示したユーザーが取りに来るまで放置されることが多い。この場合、他人に見られても問題ない印刷物の出力であればよいが、セキュリティ上、他人に見られると問題になる印刷物を出力する場合がある。そこで、画像形成装置の出力時に鍵認証を要求し、鍵認証に成功したユーザーのみが出力できるようにした技術が知られている（例えば、特許文献２を参照）。
【先行技術文献】
【特許文献】
【０００３】
【特許文献１】特表２００６−５１０３２９号公報
【特許文献２】特表２００３−５００７１４号公報
【発明の概要】
【発明が解決しようとする課題】
【０００４】
しかしながら、従来技術では、そこまで重要ではないが他人に見られたくない印刷物を出力する場合にも、全て出力前に鍵認証等の認証操作を行わなければならず、面倒だったという問題があった。
【０００５】
本発明は上記課題に鑑みてなされたものであり、他人に見られたくないが、そこまで重要ではない印刷物に対して、簡易的にセキュリティ保護することができる技術を提供することを目的とする。
【課題を解決するための手段】
【０００６】
本発明の画像形成システムは、画像データの印刷を指示する外部装置と、該外部装置により前記印刷を指示された前記画像データに基づいて印刷する印刷部を有する画像形成装置と、プロジェクターとを備えた画像形成システムであって、前記外部装置は、前記印刷を指示する前記画像データに対する簡易セキュリティ設定を受け付ける簡易セキュリティ設定受付部と、前記簡易セキュリティ設定受付部により受け付けられた前記簡易セキュリティ設定を前記印刷の指示に含めて前記画像形成装置に送信する印刷指示送信部とを備え、前記画像形成装置は、前記印刷指示送信部により送信された前記印刷の指示に前記簡易セキュリティ設定が含まれているか否かを判断する簡易セキュリティ判断部と、前記簡易セキュリティ設定が含まれていた場合に、前記印刷を指示された前記画像データにマーク画像を付加するマーク付加部と、前記マーク画像が印刷された面を上向きにして前記印刷部による印刷物が排出される排出トレイとを備え、前記プロジェクターは、前記排出トレイに排出された印刷物を撮像する撮像部と、前記撮像部による撮像画像から前記マーク画像を検出するマーク検出部と、前記マーク検出部によって前記マーク画像が検出された場合に、特定のセキュリティ画像を配置した投影画像を生成する投影画像生成部と、前記投影画像生成部によって生成された前記投影画像を前記排出トレイに向けて投影する画像投影部とを備えたことを特徴とする画像形成システム。
また、前記画像形成装置の前記マーク付加部は、前記印刷を指示したユーザーに対応付けられた前記マーク画像を前記画像データに付加し、前記プロジェクターの前記投影画像生成部は、前記印刷を指示したユーザーの前記マーク画像に対応する前記セキュリティ画像を配置した前記投影画像を生成してもよい。
また、前記外部装置の前記簡易セキュリティ設定受付部は、前記印刷を指示する前記画像データに簡易セキュリティのレベルを設定し、前記画像形成装置の前記マーク付加部は、前記簡易セキュリティの前記レベルに対応する前記マーク画像を前記画像データに付加し、前記プロジェクターの前記投影画像生成部は、前記簡易セキュリティの前記レベルに対応する前記マーク画像に対応して前記セキュリティ画像を配置した前記投影画像を生成してもよい。
また、前記プロジェクターの前記投影画像生成部は、前記マーク検出部によって前記撮像画像から検出された前記マーク画像に対応するユーザー名を前記セキュリティ画像と共に配置した前記投影画像を生成してもよい。
また、前記プロジェクターの前記投影画像生成部は、前記マーク検出部によって前記撮像画像から前記マーク画像が検出された時刻を前記セキュリティ画像と共に配置した前記投影画像を生成してもよい。
また、前記セキュリティ画像は、機密事項が記載される特定色と同色の画像であってもよい。
また、前記セキュリティ画像は、複数の文字をランダムに配置した画像であってもよい。
【発明の効果】
【０００７】
本発明によれば、他人に見られたくないが、そこまで重要ではない印刷物に対して、簡易的にセキュリティ保護することができる。
【図面の簡単な説明】
【０００８】
【図１】本発明に係る実施形態の画像形成システムのシステム構成図である。
【図２】図１に示す外部装置と画像形成装置との制御構成を示す機能ブロック図である。
【図３】図２に示す表示操作部に表示される簡易セキュリティ設定画面例である。
【図４】図１に示すプロジェクターの制御構成を示す機能ブロック図である。
【図５】図２に示す画像形成装置の画像形成処理の流れを示すフローチャートである。
【図６】図４に示すプロジェクターの画像投影処理の流れを示すフローチャートである。
【図７】印刷物にセキュリティ画像が投影される様子を示したイメージ図である。
【図８】印刷物にセキュリティ画像が投影される様子を示したイメージ図である。
【図９】印刷物にセキュリティ画像が投影される様子を示したイメージ図である。
【図１０】印刷物にセキュリティ画像が投影される様子を示したイメージ図である。
【発明を実施するための形態】
【０００９】
以下、図を参照して本発明の実施形態を詳細に説明する。なお、以下の実施形態において、同様の機能を示す構成には、同一の符号を付してある。
【００１０】
本実施の形態の画像形成システム１００は、図１に示すように、画像データの印刷を指示する外部装置１と、外部装置１により印刷を指示された画像データを印刷する画像形成装置３と、画像を投影するプロジェクター４とを備えている。外部装置１は、ユーザー端末であり、パーソナルコンピューター、スマートフォン、タブレット端末等の情報処理装置である。画像形成装置３は、プリンター、複写機、複合機等の印刷機能を有する装置であり、ネットワーク２を介して１台以上の外部装置１と接続されている。プロジェクター４は、画像形成装置３の排出トレイ３８に出力される印刷物８０にセキュリティ画像４２１が配置された投影画像４２０を投影する画像投影装置である。
【００１１】
図２を参照すると、外部装置１は、表示操作部１１と、記憶部１２と、通信部１３と、制御部１４とを備えている。
【００１２】
表示操作部１１は、各種情報を表示する液晶ディスプレイ等の表示部と、キーボードやマウス等の入力部とを備えたユーザーインターフェースである。表示部は、表示パネルの表面に透明の感圧センサーが設けられた表示手段及び入力手段として機能するタッチパネルであっても良い。
【００１３】
記憶部１２は、半導体メモリーやＨＤＤ（Hard Disk Drive）等の記憶手段であり、プリンタードライバー１２１が記憶されている。プリンタードライバー１２１は、画像形成装置３に対して画像データの印刷を指示するためのアプリケーションプログラムであり、外部装置１にインストールされている。ユーザーは、通信部１３を介してインターネットなどからプリンタードライバー１２１をダウンロードして、外部装置１にインストールすることができる。また、記憶部１２には、画像データが記憶されている。
【００１４】
通信部１３は、ネットワーク２に接続されており、無線ＬＡＮ（Local Area Network）や有線ＬＡＮ等の通信によって、画像形成装置３と各種データを送受信する機能を有する。
【００１５】
制御部１４は、表示操作部１１と、記憶部１２と、通信部１３とにそれぞれ接続され、外部装置１全体の動作制御を実行する。制御部１４は、ＣＰＵ（Central Processing Unit）、ＲＯＭ（Read Only Memory）、ＲＡＭ（Random Access Memory）等を備えたマイクロコンピュータ等の情報処理部である。ＲＯＭには外部装置１の動作制御を行うための制御プログラムが記憶されている。制御部１４のＣＰＵは、ＲＯＭに記憶されている制御プログラムを読み出し、制御プログラムをＲＡＭに展開させることで、装置全体の制御を行う。また、制御部１４は、記憶部１２に記憶されたプリンタードライバー１２１を読み出して、ＲＡＭに展開させて、プリンタードライバー１２１を起動させる。これにより、制御部１４は、プリンタードライバー１２１の機能を実現する印刷設定受付部１４１と簡易セキュリティ設定受付部１４２と印刷指示送信部１４３として機能する。
【００１６】
印刷設定受付部１４１は、表示操作部１１を介して画像データの印刷を指示されると、印刷枚数や用紙サイズ、両面印刷等の印刷設定を受け付ける機能を有する。ユーザーは、表示操作部１１を介して、外部装置１の記憶部１２に記憶されている画像データの印刷を指示してもよいし、通信部１３経由で画像形成装置３の記憶部３３に記憶されている画像データの印刷を指示することもできる。
【００１７】
簡易セキュリティ設定受付部１４２は、印刷を指示された画像データに対する簡易セキュリティ設定を受け付ける機能を有する。簡易セキュリティ設定は、厳重にセキュリティ管理するほどではないが、他人に見られたくない文書等を印刷するためのものである。簡易セキュリティ設定が行われると、画像形成装置３によって画像データが印刷されたときに、プロジェクター４によって印刷物８０に機密文書であることを示すセキュリティ画像４２１が投影される。そのため、セキュリティ画像４２１によって印刷物８０が機密文書であることが明確になり、印刷を指示したユーザー以外のユーザーが印刷物８０を見ることを抑止することができる。
【００１８】
図３は、簡易セキュリティ設定を受け付ける簡易セキュリティ設定画面Ｇ５０の表示例である。簡易セキュリティ設定画面Ｇ５０には、簡易ＣＯＮＦＩＤＥＮＴＩＡＬを指示するチェックボックス５１と、ユーザー毎のセキュリティ画像４２１の投影を指示するチェックボックス５２と、ＯＫボタン５３とが設けられている。簡易セキュリティ設定画面Ｇ５０の各項目は、印刷設定受付部１４１により印刷設定を受け付けるための印刷設定画面内に設けられてもよいし、印刷設定画面とは別に設けられてもよい。
【００１９】
簡易セキュリティ設定を有効にする場合、ユーザーは、チェックボックス５１にチェックを入れる。また、ユーザーは、予めセキュリティ画像４２１として任意の画像と投影色とをユーザー情報に関連づけてプロジェクター４にインターネット等を介して登録しておくことができる。チェックボックス５２にチェックを入れると、デフォルトのセキュリティ画像４２１に代えて、登録しておいたユーザー毎のセキュリティ画像４２１を印刷物８０に投影させることができる。チェックボックス５１にチェックが入れられた状態でＯＫボタン５３がクリックされると、簡易セキュリティ設定受付部１４２は、印刷を指示された画像データに対する簡易セキュリティ設定を受け付ける。なお、簡易セキュリティ設定が受け付けられた場合の印刷物８０の排出先は、自動的に排出トレイ３８に設定される。
【００２０】
印刷指示送信部１４３は、印刷を指示された画像データと共に、印刷設定受付部によって受け付けられた印刷設定と、簡易セキュリティ設定受付部１４２により受け付けられた簡易セキュリティ設定とを印刷指示として、通信部１３経由で画像形成装置３に送信する機能を有する。
【００２１】
画像形成装置３は、操作部３１と原稿読取部３２と記憶部３３と画像処理部３４と印刷部３５と通信部３６と制御部３７とを備えている。
【００２２】
操作部３１は、タッチパネルと操作ボタンとを備えている。タッチパネルは、各種操作キーや画像形成状況を表示する表示部の表面に透明の感圧センサーが設けられており、表示手段及び入力手段として機能する。タッチパネルは、表示面へのタッチ操作を検知して、タッチ操作が検知された位置に対応する信号を出力することで、表示部に表示した操作キーへの操作を受け付ける。また、操作ボタンは、印刷枚数等の数値を入力するためのテンキー、設定情報を初期化させる指示を入力するためのリセットキー、複写動作を停止させるためのストップキー、印刷動作を開始させる出力指示を入力するためのスタートキー等の各種操作キーを備えている。
【００２３】
原稿読取部３２は、図示しない原稿給紙装置により給紙されてきた原稿や、ユーザーによってプラテンガラスに載置された原稿に対して光を照射し、その反射光等を受光して原稿画像を読み取るスキャナーである。
【００２４】
記憶部３３は、半導体メモリーやＨＤＤ等の記憶手段であり、原稿読取部３２によって読み取られた画像データや通信部３６を介して外部装置１から受信した画像データが記憶される。また、記憶部３３には、マーク画像３３１が記憶されている。マーク画像３３１は、複数記憶されており、デフォルトのセキュリティ画像４２１の投影を指示するマーク（例えば、▲）と、ユーザー毎のセキュリティ画像４２１の投影を指示するユーザー別のマーク（例えば、○、△、□等）とを含んでいる。
【００２５】
画像処理部３４は、画像データに対して所定の画像処理を行う手段である。画像処理部３４では、例えば、拡大縮小処理や、濃度調整、階調調整等の画像改善処理が行われる。
【００２６】
印刷部３５は、記憶部３３に記憶された画像データを印刷する印刷手段である。印刷部３５は、例えば、記憶部３３から読み出した画像データに基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。また、印刷部３５は、両面印刷機能を備えている。両面印刷を行う場合には、印刷部３５は、記録紙の片面に印刷を施した後にすぐに排紙せずに、記録紙を用紙反転搬送路に搬送することで記録紙の表裏を反転させ、先に印刷した面と反対の面に印刷を施して、両面に印刷が行われた記録紙を排紙する。
【００２７】
印刷が施された記録紙は、画像形成装置３の側面から突出するように形成された排出トレイ３８又は画像形成装置３の胴内に形成された胴内トレイ３９のいずれかから排紙される。簡易セキュリティ設定がされた画像データに基づく印刷の場合には、排出トレイ３８からの排紙となる。
【００２８】
通信部３６は、ネットワーク２に接続されており、ＬＡＮケーブル等の有線ケーブルを介して、外部装置１と各種データを送受信する機能を有する。他にも、通信部３６は、無線ＬＡＮ等の無線通信によって外部装置１と各種データを送受信したり、インターネット等に接続したりする機能を有している。
【００２９】
制御部３７は、操作部３１、原稿読取部３２、記憶部３３、画像処理部３４、印刷部３５及び通信部３６にそれぞれ接続されている。制御部３７は、ＣＰＵ、ＲＯＭ、ＲＡＭ等を備えたマイクロコンピュータ等の情報処理部である。ＲＯＭには画像形成装置３の動作制御を行うための制御プログラムが記憶されている。制御部３７は、ＲＯＭに記憶されている制御プログラムを読み出し、制御プログラムをＲＡＭに展開させることで、装置全体の制御を行う。また、制御部３７は、簡易セキュリティ判断部３７１と、マーク付加部３７２として機能する。
【００３０】
簡易セキュリティ判断部３７１は、通信部３６を介して外部装置１から受信した画像データの印刷指示に簡易セキュリティ設定が含まれているか否かを判断する機能を有する。
【００３１】
マーク付加部３７２は、簡易セキュリティ判断部３７１によって簡易セキュリティ設定が含まれていると判断されると、簡易セキュリティ設定に基づいて、簡易セキュリティ設定画面Ｇ５０で設定されたセキュリティ画像４２１（デフォルト又はユーザー別）の投影を指示するマーク画像３３１を記憶部３３から取得し、画像データに付加する機能を有する。マーク付加部３７２によってマーク画像３３１が付加された画像データを印刷部３５が印刷すると、マーク画像３３１が印刷された面を上向き（プロジェクター４側）にして印刷物８０が排出トレイ３８に出力される。
【００３２】
つづいて、図４を参照すると、プロジェクター４は、フルカラー画像を投影可能な画像投影装置であり、撮像部４１と、記憶部４２と、画像投影部４３と、通信部４４と、制御部４５とを備えている。
【００３３】
撮像部４１は、ＣＣＤカメラやＣＭＯＳカメラ等の固体撮像素子で構成されたカメラである。撮像部４１は、撮像方向を排出トレイ３８の載置面に向けられており、排出トレイ３８に排出された印刷物８０を撮像する。
【００３４】
記憶部４２は、半導体メモリーやＨＤＤ等の記憶手段であり、セキュリティ画像４２１を記憶している。セキュリティ画像４２１は、予め記憶されたデフォルトのセキュリティ画像４２１の他、ユーザー別のセキュリティ画像４２１を記憶しており、それぞれマーク画像３３１に対応付けられている。
【００３５】
画像投影部４３は、カラーフィルターや、液晶パネル、投影レンズ等を有しており、後述する投影画像生成部４５２によって生成された投影画像４２０を排出トレイ３８の載置面に向けて投影する機能を有する。
【００３６】
通信部４４は、無線ＬＡＮ等の無線通信によってインターネットに接続する機能を有する。
【００３７】
制御部４５は、撮像部４１、記憶部４２、画像投影部４３及び通信部４４にそれぞれ接続されている。制御部４５は、ＣＰＵ、ＲＯＭ、ＲＡＭ等を備えたマイクロコンピュータ等の情報処理部である。ＲＯＭにはプロジェクター４の動作制御を行うための制御プログラムが記憶されている。制御部４５は、ＲＯＭに記憶されている制御プログラムを読み出し、制御プログラムをＲＡＭに展開させることで、装置全体の制御を行う。また、制御部４５は、マーク検出部４５１と投影画像生成部４５２として機能する。
【００３８】
マーク検出部４５１は、撮像部４１による撮像画像からマーク付加部３７２によって付加されたマーク画像３３１を検出する機能を有する。例えば、記憶部４２には、照合用マーク画像が記憶されていてもよく、マーク検出部４５１は、パターンマッチング等の公知技術により、撮像画像から照合用マーク画像に基づいてマーク画像３３１を検出することができる。
【００３９】
投影画像生成部４５２は、マーク検出部４５１によってマーク画像３３１が検出された場合に、マーク画像３３１に対応するセキュリティ画像４２１を記憶部４２から取得する。つづいて、投影画像生成部４５２は、取得したセキュリティ画像４２１を配置した投影画像４２０を生成し、画像投影部４３によって投影画像４２０を排出トレイ３８に向けて投影する機能を有する。
【００４０】
次に、図５を参照して、上述の画像形成装置３の画像形成動作を説明する。
【００４１】
画像形成装置３の通信部３６が外部装置１から画像データの印刷指示を受信すると（ステップｓ１１）、簡易セキュリティ判断部３７１は、画像データの印刷指示に基づいて簡易セキュリティが設定されているか否かを判断する（ステップｓ１２）。
【００４２】
簡易セキュリティが設定されている場合には（ステップｓ１２でＹｅｓ）、マーク付加部３７２は、簡易セキュリティ設定画面Ｇ５０で設定されたセキュリティ画像の種別（デフォルト又はユーザー別）に対応するマーク画像３３１を画像データに付加する（ステップｓ１３）。
【００４３】
つづいて、印刷部３５は、マーク画像３３１が付加された画像データを印刷して、マーク画像３３１が印刷された面を上向きにして印刷物８０を排出トレイ３８に出力し（ステップｓ１４）、本処理を終了する。
【００４４】
一方、簡易セキュリティが設定されていない場合には（ステップｓ１２でＮｏ）、印刷部３５は、マーク画像３３１無しの画像データを印刷して、胴内トレイ３９に出力し（ステップｓ１５）、本処理を終了する。
【００４５】
次に、図６を参照して、プロジェクター４の画像投影動作を説明する。
【００４６】
プロジェクター４の撮像部４１は、排出トレイ３８の載置面を撮影する（ステップｓ２１）。つづいて、マーク検出部４５１は、撮像部４１による撮像画像からマーク画像３３１を検出するマーク検出処理を実行する（ステップｓ２２）。排出トレイ３８に印刷物８０が出力されない場合や、マーク画像３３１が印刷された印刷物８０が排出されない場合、マーク検出部４５１によってマーク画像３３１は検出されず（ステップｓ２３でＮｏ）、ステップｓ２１に処理が戻る。
【００４７】
排出トレイ３８にマーク画像３３１が印刷された印刷物８０が排出され、マーク検出部４５１が撮像画像からマーク画像３３１を検出した場合（ステップｓ２３でＹｅｓ）、投影画像生成部４５２は、検出されたマーク画像３３１に対応するセキュリティ画像４２１を配置した投影画像４２０を生成する（ステップｓ２４）。つづいて、投影画像生成部４５２は、生成した投影画像４２０を画像投影部４３により排出トレイ３８に向けて投影して（ステップｓ２５）、本処理を終了する。
【００４８】
これにより、例えば図７に示すように、マーク検出部４５１が印刷物８０から「▲」のマーク画像３３１を検出した場合、投影画像生成部４５２によって「▲」のマーク画像３３１に対応するセキュリティ画像４２１として「ＣＯＮＦＩＤＥＮＴＩＡＬ」が記憶部４２から取得される。そして、投影画像生成部４５２により、セキュリティ画像４２１を配置した投影画像４２０が生成され、画像投影部４３を介して投影画像４２０が排出トレイ３８に向けて投影される。これにより、排出トレイ３８に出力された印刷物８０に投影画像４２０が重なり、セキュリティ画像４２１である「ＣＯＮＦＩＤＥＮＴＩＡＬ」が印刷物８０に投影される。そのため、印刷物８０が機密文書であることが一見して明らかになり、他のユーザーが印刷物８０を見ることを抑止することができる。なお、図７では、投影画像４２０は、印刷物８０を覆う大きさで投影されているが、セキュリティ画像４２１の大きさに合わせて適宜調整されてもよい。
【００４９】
また、図８に示すように、セキュリティ画像４２１は、機密事項が記載される特定色と同色で全面構成された画像であってもよい。この場合、ユーザーは、予め文書を作成する際に、機密事項の文字をセキュリティ画像４２１と同じ特定色（例えば赤等）で記載し、機密事項でない文字を黒等の普通色で記載して、簡易セキュリティを設定した状態で文書の印刷を指示する。印刷物８０が排出トレイ３８に排出されると、投影画像生成部４５２は、マーク画像３３１に対応して全面が赤色のセキュリティ画像４２１を配置した投影画像４２０を生成し、画像投影部４３により投影画像４２０を排出トレイ３８に向けて投影する。これにより、例えば図８（ａ）の拡大図Ｐに示す「四半期」が機密事項で赤文字であったとすると、赤色のセキュリティ画像４２１が重なることにより、図８（ｂ）に示すように「四半期」が消えて見える。そのため、他のユーザーが通りすがりに印刷物８０をチラッと見ても機密事項の読み取り不可能となる。
【００５０】
また、図９に示すように、セキュリティ画像４２１は、複数の識別可能な文字（平仮名、カタカナ、漢字、アルファベット、数字等のうち１つ以上を含む）をランダムに配置した画像であってもよい。投影画像生成部４５２は、このセキュリティ画像４２１を埋め尽くように配置した投影画像４２０を生成し、画像投影部４３により排出トレイ３８に向けて投影する。これによれば、両面印刷が行われた印刷物８０が出力されたときに、図９（ａ）に示すように、印刷物８０に印字された文字（例えば図９（ａ）に示す拡大図Ｐの「四半期」）にセキュリティ画像４２１が重なることで、図９（ｂ）に示すように、印刷物８０に印字された文字がセキュリティ画像４２１内で密集して配置された文字に紛れて識別困難となる。したがって、他のユーザーが通りすがりに印刷物８０をチラッと見ても記載内容の読み取り不可能となる。
【００５１】
なお、投影画像生成部４５２は、セキュリティ画像４２１内の文字が印刷物８０に印字されている文字サイズと同サイズとなるように、セキュリティ画像４２１の大きさを拡大又は縮小した状態で投影画像４２０を生成してもよい。これによれば、セキュリティ画像４２１を投影した場合に、印刷物８０に記載された文字の識別困難度を高めることができる。なお、予め大小様々な文字サイズの複数の文字を混在させてセキュリティ画像４２１を構成してもよい。
【００５２】
また、簡易セキュリティ設定画面Ｇ５０では、簡易セキュリティのレベルを設定できるようにしてもよい。この場合、マーク付加部３７２は、設定された簡易セキュリティのレベルに応じてマーク画像３３１を異ならせて画像データに付加する。投影画像生成部４５２は、検出されたマーク画像３３１に対応して簡易セキュリティのレベル毎に異なるセキュリティ画像４２１を画像投影部４３によって印刷物８０に投影することができる。例えば、簡易セキュリティのレベルが小の場合に図７に示すセキュリティ画像４２１を、簡易セキュリティのレベルが中の場合に図８に示すセキュリティ画像４２１を、簡易セキュリティのレベルが高の場合に図９に示すセキュリティ画像４２１を配置した投影画像４２０を投影してもよい。
【００５３】
また、図１０（ａ）に示すように、投影画像生成部４５２は、マーク検出部４５１によってユーザー別のマーク画像３３１が検出された場合に、マーク画像３３１に対応するユーザー別のセキュリティ画像４２１と共に、マーク画像３３１に対応するユーザー名４２２を配置した投影画像４２０を生成し、画像投影部４３により投影してもよい。これによれば、ユーザー名４２２によって誰の印刷物８０であるか一見して明らかとなり、印刷物８０の取り間違えを防止することができるので、セキュリティ効果を高めることができる。なお、この場合、プロジェクター４の記憶部４２には、マーク画像３３１に対応してユーザー名が記憶されているものとする。
【００５４】
さらに、図１０（ｂ）に示すように、投影画像生成部４５２は、マーク検出部４５１によって印刷物８０からマーク画像３３１が検出された時刻を印刷時刻４２３として、マーク画像３３１に対応するセキュリティ画像４２１と共に配置した投影画像４２０を生成し、画像投影部４３により印刷物８０に投影してもよい。印刷されたばかりの印刷物８０は、トナーを定着した際の熱が残って触ったときに熱いことがある。これによれば、印刷物８０に印刷時刻４２３が投影されているので、ユーザーが用心して熱い印刷物８０を取ることができる。したがって、熱さで印刷物８０を取り落として周囲に散乱させ、他のユーザーに印刷物８０を見られることを防止することができる。なお、投影画像４２０には、ユーザー名４２２に加えて印刷時刻４２３がセキュリティ画像４２１と共に配置されてもよいことは言うまでもなく、上記のセキュリティ画像４２１を１つ以上適宜組み合わせることができる。
【００５５】
このように、本実施形態の画像形成システム１００は、画像データの印刷を指示する外部装置１と、外部装置１により印刷を指示された画像データに基づいて印刷する印刷部３５を有する画像形成装置３と、プロジェクター４とを備えた画像形成システム１００である。外部装置１は、印刷を指示する画像データに対する簡易セキュリティ設定を受け付ける簡易セキュリティ設定受付部１４２と、簡易セキュリティ設定受付部１４２により受け付けられた簡易セキュリティ設定を印刷の指示に含めて画像形成装置３に送信する印刷指示送信部１４３とを備えている。この画像形成装置３は、印刷指示送信部１４３により送信された印刷の指示に簡易セキュリティ設定が含まれているか否かを判断する簡易セキュリティ判断部３７１と、簡易セキュリティ設定が含まれていた場合に、印刷を指示された画像データにマーク画像３３１を付加するマーク付加部３７２と、マーク画像３３１が印刷された面を上向きにして印刷部３５による印刷物８０が排出される排出トレイ３８とを備えている。そして、プロジェクター４は、排出トレイ３８に排出された印刷物８０を撮像する撮像部４１と、撮像部４１による撮像画像からマーク画像３３１を検出するマーク検出部４５１と、マーク検出部４５１によってマーク画像３３１が検出された場合に、特定のセキュリティ画像４２１を配置した投影画像４２０を生成する投影画像生成部４５２と、投影画像生成部４５２によって生成された投影画像４２０を排出トレイ３８に向けて投影する画像投影部４３とを備えている。
【００５６】
これにより、ユーザーは、外部装置１により画像データの印刷を指示する際に簡易セキュリティ設定を行うだけで、画像形成装置３から出力された印刷物８０にプロジェクター４によるセキュリティ画像４２１を配置した投影画像４２０が投影されるため、他のユーザーに印刷物８０を見られることを抑止することができ、印刷物８０をセキュリティ保護することができる。また、印刷指示に簡易セキュリティ設定が含まれるので、ユーザーが画像形成装置３の前で印刷物８０の出力待ちをしなくて済む。
【００５７】
本発明は上述した実施の形態に限定されるものではなく、本発明の趣旨を逸脱しない範囲で種々様々に変更が可能であることは言うまでもない。
【符号の説明】
【００５８】
１  外部装置
２  ネットワーク
３  画像形成装置
４  プロジェクター
１１  表示操作部
１２  記憶部
１３  通信部
１４  制御部
３１  操作部
３２  原稿読取部
３３  記憶部
３４  画像処理部
３５  印刷部
３６  通信部
３７  制御部
３８  排出トレイ
３９  胴内トレイ
４１  撮像部
４２  記憶部
４３  画像投影部
４４  通信部
４５  制御部
８０  印刷物
１００  画像形成システム
１２１  プリンタードライバー
１４１  印刷設定受付部
１４２  簡易セキュリティ設定受付部
１４３  印刷指示送信部
３３１  マーク画像
３７１  簡易セキュリティ判断部
３７２  マーク付加部
３３１  マーク画像
４２０  投影画像
４２１  セキュリティ画像
４２２  ユーザー名
４２３  印刷時刻
４５１  マーク検出部
４５２  投影画像生成部
５１、５２  チェックボックス
５３  ボタン
Ｇ５０  簡易セキュリティ設定画面
【図１】
2018085556.tif 000003
【図２】
2018085556.tif 000004
【図３】
2018085556.tif 000005
【図４】
2018085556.tif 000006
【図５】
2018085556.tif 000007
【図６】
2018085556.tif 000008
【図７】
2018085556.tif 000009
【図８】
2018085556.tif 000010
【図９】
2018085556.tif 000011
【図１０】
2018085556.tif 000012